(57)【要約】【課題】形状保持用の別部材を要すること無く、折曲げ加工可能な厚紙等のシートの展開板のみからＬ字形状を確実に保持可能に製作される商品陳列用仕切板を提供する。【解決手段】底板２０に、折曲げラインＬ１０の途中領域を越えて仕切板本体１０に侵入する形状の突片２１を仕切板本体１０に切目を設けて形成すると共に、折目２２を折曲げラインＬ１０に突片２１を残して形成し、底板２０の奥行方向の端部に、Ｌ字形状の折曲げ状態で、折曲げ操作により仕切板本体１０に接面し得る形状の係入片４０を突設すると共に、仕切板本体１０に、係入片４０が係入される係入溝１２を形成する。仕切板本体１０には、告知板３０が前方へ突設される。【選択図】図１
2014042705.tif 000002
【特許請求の範囲】
【請求項１】
折曲げ加工可能なシートの展開板から仕切板本体及び底板が横方向へ連設されるように形成され、仕切板本体が展開板の奥行方向の折曲げラインに形成された折目で底板に対してＬ字形状に折曲げられると共に、仕切板本体に告知板が前方へ突設されて製作される商品陳列用仕切板において、
底板に、折曲げラインの途中領域を越えて仕切板本体に侵入する形状の突片を前記仕切板本体に切目を設けて形成すると共に、折目を前記折曲げラインに前記突片を残して形成し、
前記底板の奥行方向の端部に、Ｌ字形状への折曲げ状態での折曲げ操作により、前記仕切板本体に接面し得る形状の係入片を突設すると共に、前記仕切板本体に、前記係入片が前記接面状態で係入される係入溝を形成したことを特徴とする商品陳列用仕切板。
【請求項２】
係入片が、底板の奥行方向の端部から折目を介して突設された突出部と、この突出部から折曲げラインに形成された折目を介して横方向へ突設されて、仕切板本体の係入溝に、前記仕切板本体の折曲げ方向とは逆側の背面への接面状態で係入される係入部とより形成され、
前記仕切板本体の奥行方向の端部には、前記係入部の前記折目の途中領域に形成された係入溝に前記接面状態で係入される係入片が奥行方向へ突設されたことを特徴とする請求項１記載の商品陳列用仕切板。
【請求項３】
告知板が、仕切板本体前端の折曲げラインより横方向へ変位した領域から前方へ突設されたことを特徴とする請求項１又は請求項２記載の商品陳列用仕切板。
【請求項４】
折曲げ加工可能なシートの展開板から仕切板本体及び底板が横方向へ連設されるように形成され、仕切板本体が展開板の奥行方向の折曲げラインに形成された折目で底板に対してＬ字形状に折曲げられると共に、仕切板本体に告知板が前方へ突設されて製作される商品陳列用仕切板において、
展開板の横方向中間位置に奥行方向に形成された中央折目に対する両側に、仕切板本体を形成すると共に、これらの仕切板本体に、前記中央折目に対して対称の奥行方向の折曲げラインを介して底板をそれぞれ連設し、
これらの底板に、前記折曲げラインの途中領域を越えて所属の前記仕切板本体に侵入し、かつ前記中央折目に対して互いに対称形状の突片を前記仕切板本体に切目を設けることによりそれぞれ形成すると共に、折目をそれぞれの折曲げラインに前記突片を残して形成し、
両側の前記底板に、相手方の前記底板の前記突片を係入させるように、前記途中領域に対して横方向へ変位し、かつ前記中央折目に対して対称形状の係入溝をそれぞれ形成し、
しかして、両側の前記仕切板本体を前記中央折目での山折により重ね合わせ、両側の前記底板を横方向のいずれか一方にＬ字形状に折曲げて重ね合わせた状態で、上側位置を占める前記底板の前記突片が、下側位置を占める前記底板の前記係入溝に係入されることを特徴とする商品陳列用仕切板。
【請求項５】
両側の突片が、折曲げラインに平行な端縁を有するひれ状にそれぞれ形成されると共に、両側の係入溝が、前記折曲げラインに平行にそれぞれ形成され、
両側の仕切板本体を互いに離反させて上側位置を占める底板の突片を下側位置を占める前記底板の前記係入溝に係入させる際に、この係入方向への反力が両側の前記仕切板本体の撓みを伴う離反により生じるように、両側の前記仕切板本体の前記係入溝よりも中央折目寄りの領域が互いに接合されることを特徴とする請求項４記載の商品陳列用仕切板。
【請求項６】
告知板が、一方の仕切板本体の前端に、横方向の折目を介して正面部が連設された側面部を突設し、他方の前記仕切板本体の前端に、横方向の折目を介してひれ部が連設された側面部を突設して構成され、
前記正面部の前端には、折目を介して係入片が突設されると共に、前記ひれ部の前記折目には、所属の前記側面部に対して山折された前記正面部の内側に位置付けされるように、前記ひれ部が所属の前記側面部に対して山折された状態で、前記正面部に対して山折された前記係入片が係入される係入溝が形成されたことを特徴とする請求項４又は請求項５記載の商品陳列用仕切板。
【発明の詳細な説明】
【技術分野】
【０００１】
本発明は、折曲げ加工可能なシートの展開板に形成されてＬ字形に折曲られる仕切板と底板とで製作されると共に、告知板が前方へ突設されている商品陳列用仕切板に関するものである。
【背景技術】
【０００２】
特許文献１により、１枚の折曲げ加工可能な厚紙等のシートより製作され、互いに重ね合わされた仕切板及びその下端に連設された両側の底板により、逆Ｔ字形に組立てられると共に、目線に対して直角面を有する表示もしくは告知板を上下に回動自在に保持させた商品陳列用仕切板が開示されている。また、この逆Ｔ字形の底板の場合その一方が陳列棚にセットされた状態で側方へ干渉するのを回避するために、特許文献２によれば、合成樹脂或等でＬ字形に形成された仕切板に、外力が加わった際に原位置に復帰可能に告知板が突設された商品陳列用仕切板が開示されている。特許文献３によれば、同様に合成樹脂或いは金属或等でＬ字形に形成された仕切板に、着脱自在に告知板を装着させる商品陳列用仕切板が開示されている。
【先行技術文献】
【特許文献】
【０００３】
【特許文献１】特開２００３−１０８０１５号公報
【特許文献２】実開平２−１２７２７５号公報
【特許文献３】特開２００４−６５３１３号公報
【発明の概要】
【発明が解決しようとする課題】
【０００４】
しかしながら、前述の逆Ｔ字形に形成された仕切板は、一方の底板による側方への干渉の問題だけでなく、特に厚紙製の場合には単に２枚重ねにしただけでは剛性上の点で底板間の折目で直角形状を保持するのが難しく、陳列棚への載置状態で側方へ傾倒し易くなる問題もある。この問題はＬ字形の場合には特に顕著となり、したがって前述のＬ字形状の場合、厚みのある合成樹脂、或いは金属等の採用が前提となっている。
【０００５】
そこで、Ｌ字形状の仕切板に、厚紙等を採用する場合、例えば２枚合わの仕切板本体と底板間の折目領域に金属性の細片を予め挿入し、その永久変形によりＬ字形形状を保持させることも考えられるが、別部品を要することになり、また廃棄に際してはシートと材質を異にする金属部品を伴うのは好ましくない。
【０００６】
本発明は、このような点に鑑みて、形状保持用の別部材を要すること無く、折曲げ加工可能なシートの展開板のみからＬ字形状を確実に保持可能に製作される商品陳列用仕切板を提供することを目的とする。
【課題を解決するための手段】
【０００７】
本発明は、この目的を達成するために、折曲げ加工可能なシートの展開板から仕切板本体及び底板が横方向へ連設されるように形成され、仕切板本体が展開板の奥行方向の折曲げラインに形成された折目で底板に対してＬ字形状に折曲げられると共に、仕切板本体に告知板が前方へ突設されて製作される商品陳列用仕切板において、底板に、折曲げラインの途中領域を越えて仕切板本体に侵入する形状の突片を仕切板本体に切目を設けて形成すると共に、折目を折曲げラインに突片を残して形成し、底板の奥行方向の端部に、Ｌ字形状への折曲げ状態での折曲げ操作により、仕切板本体に接面し得る形状の係入片を突設すると共に、仕切板本体に、係入片が接面状態で係入される係入溝を形成したことを特徴とする。
【０００８】
この発明では、底板に突設された係入片が、Ｌ字形状への折曲げ状態で、仕切板本体の係入溝に係入すると共に、底板から突片が折目無しで仕切板本体を越えて横方向へ突出する。
【０００９】
同様に、前述の目的を達成するために、展開板の横方向中間位置に奥行方向に形成された中央折目に対する両側に、仕切板本体を形成すると共に、これらの仕切板本体に、中央折目に対して対称の奥行方向の折曲ラインを介して底板をそれぞれ連設し、これらの底板に、折曲げラインの途中領域を越えて所属の仕切板本体に侵入し、かつ中央折目に対して互いに対称形状の突片を仕切板本体に切目を設けることによりそれぞれ形成すると共に、折目をそれぞれの折曲げラインに突片を残して形成し、両側の底板に、相手方の底板の前記突片を係入させるように、途中領域に対して横方向へ変位し、かつ中央折目に対して対称形状の係入溝をそれぞれ形成し、しかして、両側の仕切板本体を中央折目での山折により重ね合わせ、両側の底板を横方向のいずれか一方にＬ字形に折曲げて重ね合わせた状態で、上側位置を占める底板の突片が、下側位置を占める底板の前記係入溝に係入されることを特徴とすることもできる。
【００１０】
この発明では、両側の仕切板本体及び底板を２枚重ねでＬ字形状に折曲げた状態で、上側位置を占める底板の突片が、下側位置を占める底板の係入溝に係入すると共に、下側位置を占める底板から突片が折目無しで所属の仕切板本体、即ち２枚重ねの折曲げ状態で外側の仕切板本体を越えて横方向へ突出する。
【発明の効果】
【００１１】
前述の第１の発明によれば、Ｌ字形状の商品陳列用仕切板が１枚の展開板から折曲げ・係入操作で組立てられて製作コスト上有利となると共に、底板に突設された係入片が、Ｌ字形状の折曲げ状態で仕切板本体の係入溝に係入することにより、折曲げ形状が確保され、また底板から突片が折目無しで仕切板本体を越えて横方向へ突出することにより、棚への載置状態で折曲げ方向と逆方向への横転が防止される。
【００１２】
前述の第２の発明によれば、Ｌ字形状の２枚重ねの商品陳列用仕切板が１枚の展開板から折曲げ・係入操作で組立てられて曲げ強度及び製作コスト上有利となると共に、２枚重ねでＬ字形状に折曲げた状態で、上側の底板の突片が下側の底板の係入溝に係入することにより、折曲げ形状が確保され、また下側の底板の突片が、折曲げ状態で外側位置を占める仕切板本体から折曲げ方向と逆横方向へ折目無しで突出することにより、その方向への横転が防止される。加えて、２枚重ねの仕切板本体により、その一方に正面部が連設される側面部を突設し、他方に正面部を係止するための側面部を突設することにより、正面部を正面に位置付けし得る告知板も１枚の展開板から製作可能になる。
【図面の簡単な説明】
【００１３】
【図１】本発明の実施の形態による商品陳列用仕切板の斜視図である。
【図２】同商品陳列用仕切板を製作するための展開板の正面図である。
【図３】別の実施の形態による商品陳列用仕切板の斜視図である。
【図４】図３の商品陳列用仕切板を製作するための展開板の正面図である。
【図５】図３の商品陳列用仕切板の組立て係入状態を示す奥行方向中間部分の拡大断面図である。
【発明を実施するための形態】
【００１４】
図１及び図２は本発明の実施の形態による商品陳列用仕切板を説明するもので、折曲げ加工可能なシートである１枚の厚紙の展開板のみから、図１に示すＬ字形状に組立製作されて、商品の陳列棚に載置されることにより商品間の仕切を行う。即ち、この展開板には、図２に示すように、商品の説明文、図柄等が表示される告知板３０が前方へ突設された仕切板本体１０に、折曲げの基準ラインとなる奥行方向の展開板の折曲げラインＬ１０を介して、直方体状の底板２０が、横方向へ連設されて形成されている。
【００１５】
底板２０には、その折曲げラインＬ１０の途中領域を越えて仕切板本体１０に侵入するひれ状の突片２１が、仕切板本体１０に切込みにより切目１１を設けることにより形成されると共に、展開板の折曲げラインＬ１０には突片２１を残して折目２２が形成されると共に、底板２０の奥行方向の前端には、Ｌ字形の折曲げ形状を保持するために、次に詳述するように、仕切板本体１０に接面状態で係入する係入片４０が突設されている。
【００１６】
即ち、この係入片は、底板２０の奥行方向の前端に横方向へ形成された折目４１を介して突設された突出部４３と、折目２２から折曲げラインＬ１０上で延長されて形成された折目４４を介して仕切板本体１０側に向けて横方向へ突設された係入部４６とより形成されると共に、折目４４の途中領域には切込みによる切目で係入溝４５が形成されている。対応して、仕切板本体１０には、係入部４６が係入される係入溝１２が切込みによる切目で形成されると共に、仕切板本体１０の前端には、係入溝４５に係入される係入片１３が突設されている。
【００１７】
係入部４６には、Ｖ字形に切欠かれたＶ字形溝４７を介してその横方向へ係入部分４８が形成されている。係入溝１２は、Ｖ字形溝４７に対応する位置に、その深さに対応して横方向に直線状に形成され、続いて係入部分４８の先端部４８aを係入させるように、後方へ向けて傾斜部分１２aが形成されている。告知板３０には、陳列棚の前壁への干渉を回避させるための逃げ部を形成するように、折曲げラインＬ１０に対して横方向へ離間し、さらに想定される干渉領域よりも前方領域では表示面を広げる形状の凹部３１が形成されている。
【００１８】
このように形成された展開板は、Ｌ字形状の商品陳列用仕切板として次のような折曲げ・係入操作により組立てられる。仕切板本体１０を折目２２で突片２１を残して直角状に折曲げる。次いで、係入片４０を折目４１で上方へ折曲げつつ係入部４６も折目４４で突出部４３に対して山折した状態で凹部３１を通して、図１で見て仕切板本体１０の折曲げ方向とは逆側の背後に位置付けする。最終的に、係入部４６を仕切板本体１０の折曲げ方向とは逆側の背面に接面させて、その係入部分４８を係入溝１２に係入させると共に、係入片１３を対応する位置及び幅の係入溝４５に係入させる。この状態で、図１に示すように、Ｖ字形溝４７で形成される先端部４８aは、係入溝１２のＶ字形溝４７に対応した傾斜部分１２aに接面状態で係入することにより、この係入で仕切板本体１０に生じる反力で底板２０側へ撓んで傾斜部分１２aに係止されて抜止め状態になる。併せて、係入片１３の係入溝４５への係入により、係入片４０の折曲げ操作位置も保持される。
【００１９】
このような組立状態により、係入片４０でＬ字形状が確実に保持されると共に、突片２１が、底板２０と同一面状に折目無しで仕切板本体１０から折曲げと逆方向へ突出することにより、陳列棚への正立載置状態で底板２０に対して反対方向への横転が抑制される。また、凹部３１は、棚の前壁に対する逃げ機能に加えて、係入片４０を所望の強度を確保する大きさに形成しても、対応する大きさに形成されていることにより、仕切板本体１０の背後へのその折曲げ・係入操作時の告知板３０に対する干渉を回避させることができ、Ｌ字形状の確実な保持に寄与している。
【００２０】
尚、仕切板本体１０或いは告知板３０の形状によっては、係入片４０を仕切板本体１０の後端に形成したり、底板２０に同一面状の突片２１を複数個にする等の変形も可能である。折曲げ加工可能なシートとしては、場合により、薄い合成樹脂シート、薄めのダンボール等も考えられる。
【００２１】
図３乃至図５は、１枚の厚紙の平面状のである展開板からＬ字形状に２枚重ねで組立てられる別の実施形態による商品陳列用仕切板を説明するもので、展開板には、図４に示すように、その横方向中間位置に奥行方向へ形成された中央折目２に対する両側に、後端部分の中央折目２寄りのコーナ部分が切欠かれた略方形で対称形状の仕切板本体１Ａ、１Ｂが形成され、これらの仕切板本体に、中央折目２に対して対称で展開板のＬ字折曲げの基準ラインとなる奥行方向の折曲げラインＬ１、Ｌ２を介して方形状の底板２Ａ、２Ｂがそれぞれ連設されると共に、仕切板本体１Ａ、１Ｂの前端からそれぞれ前方へ告知板５０が突設されて形成されている。底板２Ａ、２Ｂの横幅は互いに略同一であり、奥行幅は仕切板本体１Ａ、１Ｂと同一に形成されている。
【００２２】
両側の底板２Ａ、２Ｂには、折曲げラインＬ１、Ｌ２の途中領域から所属の仕切板本体１Ａ、１Ｂに侵入する突片４、４ａが、中央折目２に対して互いに対称形状に形成されると共に、これらの突片を残した折曲げラインＬ１、Ｌ２上には折目３、３ａがそれぞれ形成されている。これらの突片４、４ａは、周辺に細隙５、５ａを形成する打抜きによる切目により、折曲げラインＬ１、Ｌ２に平行な端縁を有する方形ひれ状に形成されて、仕切板本体１Ａ、１Ｂから分離可能になっている。
【００２３】
対応して、底板２Ａ、２Ｂには、折曲げラインＬ１、Ｌ２に対して外側端寄りに変位して中央折目２に対して互いに対称形状で、かつ板厚よりも僅かに幅広のスリット状の係入溝６、６ａが、折曲げラインＬ１、Ｌ２に平行にそれぞれ形成されている。これらの係入溝は、突片４、４ａの奥行幅に相当する奥行幅を有し、また折曲げラインＬ１、Ｌ２に対する変位量は、底板２Ａ、２Ｂを横方向の一方にＬ字形に折重ねた状態で、上側の底板２Ａ、２Ｂの突片４、４ａが、下側の底板２Ｂ、２Ａの係入溝６ａ、６に係入した状態で、仕切板本体１Ａ、１Ｂの下端を互いに僅かに離反させるように設定されている。
【００２４】
さらに、仕切板本体１Ａ、１Ｂにそれぞれ方形状に前方へ突設される告知板は、その一方の仕切板本体１Ａの前端に、横方向の折目５３を介して正面部５２が連設される側面部５１を突設し、また他方の仕切板本体１Ｂの前端に、正面部５２を正面位置に保持するために、横方向の折目５７を介してひれ部５６が連設される側面部５５を突設して構成されている。正面部５２の前端には、それぞれ折目５４ａを介して２個の係入片５４が突設されると共に、折目５７の２個所の対応位置には、係入溝５８が切込みによる切目により形成されている。
【００２５】
側面部５１、５５は、陳列棚への載置状態で、その前壁への干渉を回避させるように、折目３、３ａよりも中央折目２寄りに仕切板本体１Ａ、１Ｂよりも幅狭に形成され、正面部５２及びひれ部５６も対応した横幅に形成されている。
【００２６】
このように形成された１枚の展開板は、２枚重ねのＬ字形状の商品陳列用仕切板として折曲げ・係入操作により次のように組立てられる。中央折目２で仕切板本体１Ａ、１Ｂを山折する際に、少なくとも告知板５０に隣合う仕切板本体１Ａ、１Ｂの前端部分及び細隙５、５ａよりも中央折目２寄りの奥行方向の帯状領域は貼着して接合しておく。これにより、仕切板本体１Ａ、１Ｂの下方領域は、非接合領域となって互いに離反可能になっている。
【００２７】
次いで、底板２Ａ、２Ｂを、例えば図３に示す同一横方向へ折目３、３ａで直角状に折曲げて、底板２Ｂを底板２Ａの上側に重ねる。さらに、上側の突片４ａの先端が相手方の底板２Ａの係入溝６より外側端寄りの位置、即ち係入溝６の位置よりも離反した位置を占めるように、底板２Ｂを仕切板本体１Ａ、１Ｂの互いの離反による反力に抗してスライドさせる。続いて、このスライド操作を解除して、離反に伴う反力により突片４ａを係入溝６に係入させる。
【００２８】
つまり、図５は、この係入状態を拡大して示すもので、２枚重ねのＬ字形状に組立てられた状態で、上方の貼着部分を支点とする仕切板本体１Ａ、１Ｂの離反方向の強制撓みを解除すると、その反力により底板２Ｂが相手方の仕切板本体１Ａへ接近する方向へ底板２Ａに沿って僅かにスライドして、突片４ａの係入状態が確保される。加えて、仕切板本体１Ａ、１Ｂが、互いに僅かに離間した位置に在る折目３、３ａで直角状に支持されることによってもＬ字形状が確保され、さらに下側の底板２Ａの突片４が折曲げ側と逆方向へ同一面状に折目無しで突出することにより、２枚重ねの仕切板本体１Ａ、１Ｂが折曲げと逆方向へ横転するのが抑制される。
【００２９】
図３と逆のＬ字形状に組立てる場合には、底板２Ａ、２Ｂを逆方向へ直角状に折曲げて、同様な組立操作を行う。
【００３０】
告知板５０は、正面部５２及びひれ部５６をこのひれ部が正面部５２の内側位置を占めるように折目５３、５７でそれぞれ山折し、係入片５４を正面部５２に対して折目５４ａで山折して係入溝５８に係入させる。これにより、側面部５１、５５が、基端側の仕切板本体１Ａ、１Ｂでの接合部分を支点として互いに離反し、また互いに同一奥行幅であることにより、正面部５２は、仕切板本体１Ａ、１Ｂに対して直交方向に沿って正面位置に正確に位置付けされる。
【００３１】
尚、この実施形態による商品陳列用仕切板につき、仕切板本体の形状によっては、その奥行方向へ沿った領域の貼着を省略する変形例も考えられる。その際、底板の係入溝のスリット幅を展開板の板厚に設定したり、単なる切込みによる切目にする等も考えられる。また、折曲げ側と逆方向へ同一面状に突出する突片を奥行方向へ複数個配列する等も考えられる。さらに、告知板は、単に両側から見えるように、奥行方向へ２枚重ねで突設することもでき、正面部を有する別体として構成されたものを棚の高さに応じて回動可能に支持させたり、表示内容を変更可能に着脱自在に支持させることもできる。
【符号の説明】
【００３２】
１Ａ、１Ｂ、１０  仕切板本体
２  中央折目
２Ａ、２Ｂ、２０  底板
３、３ａ、２２、４１，４４，５３、５４ａ、５７  折目
４、４ａ、２１  突片
６、６ａ、１２、４５、５８  係入溝
１１  切目
１２a  係入溝の傾斜部分
１３、４０、５４  係入片
３０、５０  告知板
３１  告知板の凹部
４３  係入片の突出部
４６  係入片の係入部
４７  係入片のＶ字形溝
４８  係入片の係入部分
４８a  係入部分の先端部
５１、５５  告知板の側面部
５２  告知板の正面部
５６  告知板のひれ部
Ｌ１、Ｌ２、Ｌ１０  Ｌ字形用の折曲げライン
【図１】
2014042705.tif 000003
【図２】
2014042705.tif 000004
【図３】
2014042705.tif 000005
【図４】
2014042705.tif 000006
【図５】
2014042705.tif 000007